(57)【特許請求の範囲】
【請求項１】
真空掃除機のための掃除機ヘッドであって、
攪拌機と、
前記攪拌機を少なくとも部分的に囲んでいるチャンバと、前記チャンバの下側部分に位置する汚染空気入口と、汚染空気出口とを形成しているハウジングと、
を備えている前記掃除機ヘッドにおいて、
仕切りと前記ハウジングとが、前記汚染空気出口に隣り合っている前記チャンバの沈降領域を形成しているように、前記仕切りが、前記攪拌機と前記汚染空気出口との間に配置されており、
利用の際に、前記攪拌機によって第１の塵埃開口部を通過して掃き出される塵埃が、第２の塵埃開口部に向かって掃き出されるように、前記仕切りが、前記第１の塵埃開口部と前記第２の塵埃開口部とを備えており、
塵埃ダイバータが、前記チャンバの内部に配置されており、
前記塵埃ダイバータが、前記第２の塵埃開口部を通じて塵埃を偏向させるように配置されており、
前記塵埃ダイバータが、前記第２の塵埃開口部の上方に配置されていることを特徴とする掃除機ヘッド。
【請求項２】
前記塵埃ダイバータが、前記第２の塵埃開口部の下側縁部の前方に突出している前記第２の塵埃開口部の上側縁部を備えていることを特徴とする請求項１に記載の掃除機ヘッド。
【請求項３】
塵埃デフレクタが、前記第２の塵埃開口部と前記チャンバの前記沈降領域との間に配置されており、
前記塵埃デフレクタが、塵埃を前記チャンバの前記沈降領域の内部に向かって偏向させるように配置されていることを特徴とする請求項１又は２に記載の掃除機ヘッド。
【請求項４】
前記仕切りが、前記第２の塵埃開口部と前記チャンバの前記沈降領域との間に延在している塵埃通路を形成していることを特徴とする請求項１〜３のいずれか一項に記載の掃除機ヘッド。
【請求項５】
請求項３に従属する場合に、
前記塵埃デフレクタが、前記塵埃通路の壁を備えていることを特徴とする請求項４に記載の掃除機ヘッド。
【請求項６】
前記攪拌機が、ブラシバーを備えており、
前記第２の塵埃開口部が、前記ブラシバーの長手方向と略平行に延在しているスロットの形態とされることを特徴とする請求項１〜５のいずれか一項に記載の掃除機ヘッド。
【請求項７】
前記第１の塵埃開口部が、前記第２の塵埃開口部と略平行に延在しているスロットの形態とされることを特徴とする請求項６に記載の掃除機ヘッド。
【請求項８】
前記ハウジングと前記仕切りとが、前記攪拌機を内蔵する前記チャンバの撹拌領域を形成していることを特徴とする請求項１〜７のいずれか一項に記載の掃除機ヘッド。
【請求項９】
前記チャンバの前記撹拌領域が、前記ハウジングの前方に前記攪拌機を露呈させる前方開口部を有していることを特徴とする請求項８に記載の掃除機ヘッド。
【請求項１０】
請求項１〜９のいずれか一項に記載の掃除機ヘッドを備えていることを特徴とする真空掃除機。
【発明の詳細な説明】
【技術分野】
【０００１】
本発明は、真空掃除機のための掃除機ヘッドに関し、特に、排他的ではないが、携行式真空掃除機のための掃除機ヘッドに関する。
【背景技術】
【０００２】
一般に、真空掃除機のための掃除機ヘッドは、ハウジングの内部に配置されているブラシバーを備えている。吸引開口部は、ハウジングの下側表面に設けられており、ハウジングは、ソールプレートとして一般に知られており、空気を含む塵埃が、ソールプレートを通じて掃除機ヘッドの内部に引き込まれる。
【０００３】
従来技術に基づく掃除機ヘッドに関連する問題は、捕集性能を維持するためにソールプレートと清浄されるべき表面との間に必要とされる近接近（close proximity）が、大きな塵埃が、吸引開口部を通じて掃除機ヘッドの内部に引き込まれるのではなく、掃除機ヘッドによって清浄されるべき表面に沿って押される傾向にあることを意味することである。
【発明の概要】
【発明が解決しようとする課題】
【０００４】
本発明の第１の実施態様は、真空掃除機のための掃除機ヘッドであって、攪拌機と、攪拌機を少なくとも部分的に囲んでいるチャンバと、チャンバの下側部分に位置する汚染空気入口と、汚染空気出口とを形成しているハウジングとを備えている掃除機ヘッドにおいて、仕切りとハウジングとが、汚染空気出口に隣り合っているチャンバの沈降領域を形成しているように、仕切りが、攪拌機と汚染空気出口との間に配置されており、利用の際に、攪拌機によって第１の塵埃開口部を通過して掃き出される塵埃が、第２の塵埃開口部に向かって掃き出されるように、仕切りが、第１の塵埃開口部と第２の塵埃開口部とを備えている、掃除機ヘッドを提供する。
【０００５】
塵埃ダイバータが、チャンバの内部に配置されている。塵埃ダイバータが、第２の塵埃開口部を通じて又は第２の塵埃開口部に向かって塵埃を偏向させるように配置されている。塵埃ダイバータが、第２の塵埃開口部に配置されている。塵埃ダイバータが、第２の塵埃開口部の上方に配置されている。塵埃ダイバータが、第２の塵埃開口部の下側縁部の前方に突出している第２の塵埃開口部の上側縁部とされる。
【０００６】
塵埃デフレクタが、第２の塵埃開口部とチャンバの沈降領域との間に配置されている。塵埃デフレクタが、塵埃をチャンバの沈降領域の内部に向かって偏向させるように配置されている。例えば、塵埃デフレクタは、塵埃をチャンバの沈降領域の内部に向かって下方に偏向させるように配置されている。
【０００７】
仕切りが、第２の塵埃開口部とチャンバの沈降領域との間に延在している塵埃通路を形成している。塵埃デフレクタが、塵埃通路の壁を備えている。
【０００８】
攪拌機が、ブラシバーを備えている。第２の塵埃開口部が、ブラシバーの長手方向と略平行に延在しているスロットの形態とされる。第１の塵埃開口部が、第２の塵埃開口部と略平行に延在しているスロットの形態とされる。
【０００９】
ハウジングと仕切りとが、攪拌機を内蔵するチャンバの撹拌領域を形成している。チャンバの撹拌領域が、ハウジングの前方に攪拌機を露呈させる前方開口部を有している。
【００１０】
本発明の第２の実施態様は、本発明の第１の実施態様における掃除機ヘッドを備えている真空掃除機を提供する。
【００１１】
本発明を一層良好に理解するために、及び、本発明が奏する効果を一層明確に表わすために、本発明について、以下の図面を参照しつつ説明する。
【図面の簡単な説明】
【００１２】
【図１】携行式真空掃除機の斜視図である。
【図２】図１に表わす真空掃除機の掃除機ヘッドの斜視図である。
【図３】図２に表わす掃除機ヘッドの正面図である。
【図４】図２に表わす掃除機ヘッドの側面図である。
【図５】図２に表わす掃除機ヘッドの背面図である。
【図６】図２に表わす掃除機ヘッドの下面図である。
【図７】図２に表わす掃除機ヘッドの横方向断面図である。
【発明を実施するための形態】
【００１３】
図１は、本体４とワンド６と掃除機ヘッド８とを備えている携行式掃除機２を表わす。
【００１４】
本体４は、サイクロン式分離器の形態をした分離システム１０と、分離システム１０を通じて空気を引き込むように配置されているモータ及び羽根車（図示しない）と、モータに電力を供給するためのバッテリの形態をした電源１２とを備えている。本体４は、利用者によって把持されるハンドル１４と、分離システム１０を通過する空気が排出される際に通過する清浄空気出口１６とを有している。
【００１５】
ワンド６は、その一方の端部において本体４に取り付けられており、その他方の端部において掃除機ヘッド８に取り付けられている。掃除機ヘッド８と分離システム１０とは、ワンド６を介して流通しており、ワンド６は、利用の際に掃除機ヘッド８を支持している。
【００１６】
図２〜図７は、掃除機ヘッド８単体を表わす。掃除機ヘッド８は、ブラシバー１８の形態をした攪拌機と、後方ローラ２０と、チャンバ２４を形成しているハウジング２２とを備えており、ブラシバー１８と後方ローラ２０とが、チャンバ２４の内部に少なくとも部分的に配置されている。
【００１７】
ハウジング２２は、上側回動式継手２８及び下側回動式継手３０を具備する回動機構２６を介してワンド６に接続されており、上側回動式継手２８及び下側回動式継手３０によって、掃除機ヘッド８は、ワンド６に関するヨー方向及びピッチ方向において回動可能とされる。可撓性を有しているホース３２は、回動機構２６の接続部分３４からチャンバ２４の上側領域に延在している。チャンバ２４の内部に延在しているホース３２の端部は、空気が分離システム１０を通じてワンド６の内部に引き込まれる際に通過するチャンバ２４の汚染空気出口３６を形成している（図６及び図７参照）。
【００１８】
ブラシバー１８と後方ローラ２０とは、自身の端部それぞれにおいて、ハウジング２２の側壁３８，４０によって支持されている。ブラシバー１８及び後方ローラ２０がハウジング２２に対して相対的に回転可能とされるように、ブラシバー１８及び後方ローラ２０それぞれが、側壁３８，４０によって回転可能に支持されている。
【００１９】
図７を参照すると、ブラシバー１８は、ブラシバー用モータ（図示しない）及び伝動装置４４が内蔵された、高剛性なチューブの形態をしたコア４２を備えている。ブラシバー用モータと伝動装置４４とが、ブラシバー１８を駆動するように配置されている。ブラシバー１８は、コア４２を中心として周方向に離隔配置されている４つの剛毛ストリップ４６を備えている。剛毛ストリップ４６は、“スターツ”として知られている。剛毛ストリップ４６は、同一の離隔角度（すなわち９０°）で互いから離隔配置されている。剛毛ストリップ４６それぞれが、配置用ストリップ４８によって保持されていると共にラジアル方向に延在している剛毛列を備えている。剛毛は、高密度でまとめられているか、又はクランプ毎に若しくは個々に離隔配置されている。
【００２０】
剛毛ストリップ４６それぞれは、ブラシバー１８に関する長手方向及び周方向の両方において略螺旋状に延在している。剛毛ストリップ４６それぞれは、ブラシバー１８の長さ全体に亘って９０°の角度範囲で周方向に延在している。剛毛ストリップ４６それぞれの配置用ストリップ４８は、コア４２の外面に形成された対応する溝５０の内部においてコア４２に対して固定されている。溝５０それぞれは、溝５０の縁部それぞれに沿って反対側に配置されたリップを有しており、溝５０は、剛毛ストリップ４６をコア４２に固定するために配置用ストリップ４８と相互にロックされている。
【００２１】
シール材料から成るストリップ５２は、剛毛ストリップ４６同士の間においてコア４２の外面に対して固定されている。当該シール材料の内部に押入された塵埃が当該シール材料によって少なくとも部分的に囲まれるように、当該シール材料は局所的に変形可能とされる。また、当該シール材料は、塵埃が排出されると当該シール材料が元の形状に復帰するような弾性を有している。しかしながら、利用の際にブラシバー１８に作用する遠心力が、当該シール材料を元の形状に復帰させる場合がある。
【００２２】
図示の実施例では、シール材料はタフテッド材料とされる。シール材料は、例えば高密度に配置された短いパイルを有しているタフテッド材料とされるが、織物基材に織り込まれた繊維によって形成されている場合もある。パイルの繊維は、ナイロンから作られているが、剛性が比較的小さければ、他の適切な材料であっても良い。タフテッドシール材料の剛性は、当該材料の弾性特性、繊維の直径、繊維の長さ、及びパイルの密度に依存する。図示の実施例では、タフテッド材料は、ナイロンから作られており、タフテッド材料の繊維の直径は、３０μｍ〜５０μｍ（好ましくは３０μｍ）とされ、タフテッド材料の繊維の長さは、０．００５ｍとされ、パイルの密度は、６００００繊維／２５ｍｍ２とされる。シール材料は、タフテッド材料であることを必要としないが、例えば独立気泡発泡材料のような発泡材料とされるか、又は適切に流量制限することができる他の適切な材料とされる。変形可能なシール材料が好ましいが、これに限定される訳ではないことに留意すべきである。
【００２３】
合計で４つのシール材料から成るストリップ５２が設けられている。シール材料から成るストリップ５２それぞれの厚さ（すなわちラジアル方向深さ）は略一定であり、シールストリップ５２は略同一である。
【００２４】
シール材料から成るストリップ５２それぞれが、隣り合う剛毛ストリップ４６同士の間において高剛性チューブ４２の外面のラジアル方向長さ及びアキシアル方向長さの略全体に亘って延在している。例えば、シール材料から成るストリップ５２それぞれが、ブラシバー１８の周方向において７５°〜９０°の角度に亘って、好ましくは８０°〜９０°の角度に亘って延在している。間隙５４は、１つ以上の剛毛ストリップ４６と隣り合うシール材料から成るストリップ５２との間に形成されている。図示の実施例では、シール材料から成るストリップ５２それぞれが、８０°の角度に亘って延在しており、間隙５４それぞれが、５°の角度に亘って延在しており、剛毛ストリップ４６それぞれの側面に形成されている（間隙５４のための参照符号は、剛毛ストリップ４６のうち一の剛毛ストリップのみの両側面に付されている）。間隙５４によって、剛毛ストリップ４６は、シール材料から成るストリップ５２に接触することなく、僅かに屈曲可能とされる。シール材料から成るストリップ５２は、シール材料から成るストリップ５２と剛毛ストリップ４６との間に間隙が形成されないように剛毛ストリップ４６に当接している場合があることに留意すべきである。これにより、シール効果が高められる。
【００２５】
多かれ少なかれ剛毛ストリップ４６が設けられており、この場合には、対応する数量のシール材料から成るストリップ５２が利用される。例えば、２つ又は３つの剛毛ストリップ４６が設けられている場合がある。
【００２６】
剛毛ストリップ４６のラジアル方向長さは、シール材料から成るストリップ５２のラジアル方向長さより長い。すなわち、剛毛ストリップ４６の先端とブラシバー１８の回転軸線との間におけるラジアル方向距離は、シール材料から成るストリップ４６の周囲とブラシバー１８の回転軸線との間におけるラジアル方向距離より長い。ブラシバー１８の半径は、ブラシバー１８の軸線と剛毛ストリップ４６の先端との間における距離として定義されている。
【００２７】
好ましくは、剛毛ストリップ４６の剛毛は、剛毛ストリップ４６同士の間に配置されたシール材料より高剛性とされる材料から作られている。剛毛ストリップ４６は、５μｍ〜１０μｍの、好ましくは７μｍの厚さを有するカーボンファイバ繊維を備えている。
【００２８】
後方ローラ２０は、タフテッド材料から成るストリップに覆われた中実シャフトの形態をしたコア５６を備えている。当該タフテッド材料は、ブラシバー１８のタフテッド材料と同一である。
【００２９】
ハウジング２２の下面は開放されている。図示の実施例では、ハウジング２２は、掃除機ヘッド８に関する横方向においてハウジング２２の側壁３８，４０のうち一方の側壁から他方の側壁に延在している後方ソールプレート５８を備えている（図６参照）。ホイール６０の形態をしたサポートは、後方ソールプレート５８によって支持されている。ホイール６０それぞれの下側部分のみが後方ソールプレート５８から突出するように、ホイール６０は後方ソールプレート５８の内部に配置されている。
【００３０】
側面３８，４０それぞれが、下側縁部６２，６４を有している。後方ソールプレート５８は、作用縁部である先縁部６６を有しており、先縁部６６は、下側縁部６２，６４のうち一方の下側縁部から他方の下側縁部に延在している。側壁３８，４０の下側縁部６２，６４と後方ソールプレート５８の先縁部６６とは共に、チャンバ２４の汚染空気入口６８の側方縁部及び後方周縁部を形成している。
【００３１】
汚染空気入口６８の前方周縁部は、ブラシバー１８によって形成されている。特に汚染空気入口６８の前方周囲部は、シール材料から成るストリップ５２の最も下側のラジアル方向周囲部によって形成されている。
【００３２】
ホイール６０は、後方ソールプレート５８と側壁３８，４０とシール材料から成るストリップ５２とが清浄すべき表面から離隔しているように、清浄すべき表面上で掃除機ヘッド８を支持している。図示の実施例では、シール材料から成るストリップ５２と清浄すべき表面との間に間隙が形成されるが、シール材料から成るストリップ５２と清浄すべき表面との間においてシール効果が発揮されない距離で、ブラシバー１８は、シール材料から成るストリップ５２が清浄すべき表面から離隔しているように配置されている。
【００３３】
後方ソールプレート５８と側壁３８，４０とは、シール材料から成るストリップ５２からより、清浄すべき表面からさらに離隔している。従って、後方シールストリップ７０は、先縁部６６に隣り合って且つ後方ソールプレート５８の下面に沿って設けられている。また、側方シールストリップ７１，７２は、側壁３８，４０の下側縁部６２，６４に沿って設けられている。後方シールストリップ７０と側方シールストリップ７１，７２とは、利用の際に清浄すべき表面を密封するように配置されている。後方シールストリップ７０と側方シールストリップ７１，７２とは、例えばナイロンのような適切な材料から作られた繊維を有しているタフテッド織物／ブラシ状の織物のようなパイルを具備する材料を備えている。
【００３４】
ハウジング２２は、掃除機ヘッド８に関する横方向に延在している上側前方縁部７４を有している。上側前方縁部７４は、ブラシバー１８の回転軸線の上方に且つブラシバー１８の頂部の下方に位置している。ブラシバー１８は、上側前方縁部７４の前方に延在している。上側前方縁部７４と側壁３８，４０の前方縁部７５，７７（図３及び図４参照）とは、チャンバ２４の前方開口部を形成している。
【００３５】
ハウジング２２の前方領域の内面は、チャンバ２４を部分的に形成しており、ブラシバー１８の頂部を覆うように湾曲している。チャンバ２４の内面の曲率半径は、剛毛ストリップ４６の先端部の曲率半径に相当する。上側前方縁部７４に隣り合っているハウジング２２の前方領域は、利用の際に塵埃がブラシバー１８によって上方に及び／又は前方に飛び散ることを防止するためのガードとして機能する。しかしながら、代替的な実施例では、ハウジングがガードとして配置される必要が無く、ブラシバー１８の頂部の前方に延在している必要が無いことに留意すべきである。小さい間隙が、剛毛の前端部とハウジング２２との間における干渉を防止するために設けられている場合があることに留意すべきである。ブラシバー１８は、シール材料がブラシバー１８と上側前方縁部７４に隣り合っているハウジング２２の内面との間における流れを制限するように配置されている。
【００３６】
仕切り７６は、ブラシバー１８とチャンバ出口３６との間に且つチャンバ２４の内部に配置されている。仕切り７６は、掃除機ヘッド８に関する横方向に延在しており、チャンバ２４を、仕切り７６とチャンバ出口３６との間に形成された沈降領域２４ａと、仕切り７６の前方に形成された撹拌領域２４ｂとに分割している。
【００３７】
仕切り７６は、チャンバ２４を横切って延在している前方壁７８及び後方壁８０を備えている。前方壁７８は、その端部それぞれにおいて、ハウジング２２の側壁３８，４０によって支持されている。前方壁７８は、ブラシバー１８に実質的に接している平面内において延在しており、掃除機ヘッド８の直立方向に関して後方に傾斜している。前方壁７８は、前方壁７８の長さに沿って延在している下側縁部８２及び上側縁部８４を有している。下側縁部８２と側壁３８，４０とは、スロットの形態をした第１の塵埃開口部８６を前方壁７８の下方に形成している。第１の塵埃開口部８６は、ブラシバー１８の回転軸線に対して平行とされる方向に延在している。
【００３８】
後方壁８０は、前方壁７８とチャンバ出口３６との間に配置されており、前方壁７８に対して略平行とされる方向においてチャンバ２４の上側領域から下方に延在している。
【００３９】
後方壁８０は、ハウジング２２に当接している結合部分８８を有している。結合部分８８は、前方縁部９０を有している。前方壁７８の上側縁部８４と結合部分８８の前方縁部９０とが、スロットの形態をした第２の塵埃開口部９２を形成している。第２の塵埃開口部９２は、ブラシバー１８の回転軸線に対して平行とされる方向に延在している。前方縁部９０は、ブラシバー１８の回転軸線と略同一の高さに位置しており、前方壁７８の上側縁部８４にオーバーハングしているリップを形成している（すなわち、前方壁９０が、ブラシバー１８の回転軸線に関して上側縁部８４のラジアル方向内方に突出している）。
【００４０】
前方壁７８と後方壁８０とは、第２の塵埃開口部９２から下方に且つ前方に延在している塵埃復帰通路を形成している。塵埃復帰通路は、その下側端部において、チャンバ２４の沈降領域２４ａの内部に向かって開口している。後方壁８０と前方縁部９０との間に位置する結合部分８８の一部分が、掃除機ヘッド８の直立方向に対して３５°〜６５°の角度で前方に傾斜している前方傾斜面９４を有している。前方傾斜面９４は、前方壁７８及び後方壁８０によって形成された塵埃復帰通路に沿って下方に塵埃を偏向するためのデフレクタを形成している。
【００４１】
利用時には、真空掃除機２の掃除機ヘッド８は、床に、例えば硬質の表面を有する床に載置される。後方シールストリップ７０及び側方シールストリップ７１，７２が、ブラシバー１８のシール材料の下側周囲部と共に、清浄すべき表面を密封するように、掃除機ヘッド８は、ローラ６０によって床に支持されている。従って、チャンバ２４は、後方シールストリップ７０及び側方シールストリップ７１，７２とブラシバー１８のシール材料から成るシールストリップ５２とによって、汚染空気入口６８の周囲部の周りにおいて密封されている。さらに、ブラシバー１８は、前方縁部７４に隣り合っているハウジング２２の上側内面を密封している。
【００４２】
本明細書では、“密封（seal）”との用語は、真空掃除機２を利用する間において所定の圧力差を維持可能とされることを意味することに留意すべきである。例えば通常の利用の際に（例えば硬質／頑丈な表面を清浄するために利用される場合に）、チャンバ２４を通過する空気流が、チャンバ２４の内側と大気との間における圧力差を少なくとも０．６５ｋＰａに維持するのに十分な量に制限されるという条件の下に、チャンバ２４は密封されるものとみなされる。同様に、通常の利用の際に、チャンバ２４の内側と大気との間における圧力差を少なくとも０．６５ｋＰａに維持するように、ブラシバー１８によって、前方開口部を通過する空気流が制限されるとの仮定の下に、ブラシバー１８は、ハウジング２２に対して密封されると考えられる。
【００４３】
モータ及び羽根車は、ハウジング２２の汚染空気入口６８を通じてチャンバ２４の内部に、チャンバ出口３６を通じて上方に、及びワンド６を通じて分離システム１０の内部に空気を引き込む。塵埃は、清浄空気出口１６を通じて排出される前に、分離システム１０によって空気から抽出される。
【００４４】
ブラシバー１８は、図７では反時計回りとして表わされる前方方向に駆動される。ブラシバー１８は、例えば６００ｒｐｍ〜３０００ｒｐｍ、好ましくは６００ｒｐｍ〜１４００ｒｐｍのような比較的高い回転速度で駆動される。回転速度を高めることによって、微細な塵埃を収集する性能が向上することが期待される。シール材料から成るシールストリップ５２及び剛毛ストリップ４６の近傍における境界層効果は、チャンバ２４の撹拌領域２４ｂにおいてブラシバー１８の回転方向に回転流を発生させる。回転流は、ブラシバー１８とハウジング２２の前方縁部７４との間における間隙を動的に密封する。チャンバ２４のこのような動的な密封は、ブラシバー１８とハウジング２２との間における空気流をさらに制限することによって、チャンバ２４の内部圧力を維持することに貢献する。
【００４５】
掃除機ヘッド８が清浄すべき表面を横切って移動する場合に、剛毛ストリップ４６の剛毛の先端部が清浄すべき表面に接触し、第１の塵埃開口部８６に向かって後方に塵埃を掃き出す。剛毛は、微細な塵埃を隙間から取り除くのに、及び、清浄すべき表面で圧縮されている塵埃を撹拌するのに特に効果的である。剛毛ストリップ４６の側面それぞれに沿って延在している間隙５４は、剛毛が床の表面に対して押圧された際における剛毛の屈曲に適応する。
【００４６】
掃除機ヘッド８が、例えば米粒、麦、パスタ、穀物やこれらに類似するもののような大きい塵埃（すなわち、シール材料から成るシールストリップ５２の周囲部と床との間に形成された間隙より大きい塵埃）の上を移動する際には、シール材料から成るシールストリップ５２は、塵埃によって局所的に変形する。
【００４７】
シール材料５２の局所的変形に起因して、後方シールストリップ７０及び側方シールストリップ７１，７２とブラシバー１８のシール材料から成るシールストリップ５２と床面との間における密封効果を低減させる原因となる、塵埃に対する掃除機ヘッド８の乗り越しが大部分の塵埃において確実に解消される。従って、ブラシバー１８と清浄すべき表面との間における密封は逆効果ではないので、効果的な捕集性能が維持される。その後に、シール材料から成るシールストリップ５２によって実質的に囲まれている大きい塵埃は、第１の塵埃開口部８６を通じてチャンバ２４の沈降領域２４ａの内部に向かって後方に解放される。例えば圧縮された塵埃のような、床に付着している小さい塵埃は、剛毛ストリップ４６によって撹拌され、第１の塵埃開口部８６を通じてチャンバ２４の沈降領域２４ａの内部に向かって後方に掃き出される。当該塵埃は、汚染空気入口６８を通じて直接引き込まれた他の塵埃と同様に、上述のように、チャンバ出口３６を通じて分離システム１０に吸引される。
【００４８】
また、シール材料５２は、清浄すべき表面を引っかくことなく、清浄すべき表面の小さい変化に適応するように変形することに留意すべきである。
【００４９】
幾つかの実施例では、大きい塵埃、例えば米や大きい塵埃粒子のような比較的大きい慣性を有している塵埃は、チャンバ出口３６を通じて吸引されることなく、第１の塵埃開口部８６を通じてチャンバ２４の沈降領域２４ａの後方壁に当たって跳ね返る。このような塵埃は、ブラシバー１８と衝突し、第１の塵埃開口部８６を通じて後方に掃き出されるか、又は仕切り７６の前方壁７８の前面に沿って第２の塵埃開口部９２に向かって上方に移動される。オーバーハングしている前方縁部９０は、塵埃を阻止し、結合部分８８の前方傾斜面９４に向かって後方に方向づける。従って、オーバーハングしている前方縁部９０は、塵埃がチャンバ２４の内面に沿って掃き出され、ブラシバー１８を介して前方開口部を通じて排出されることを防止する。
【００５０】
前方傾斜面９４と衝突する塵埃は、仕切り７６の前方壁７８と後方壁８０との間に形成された塵埃復帰通路に沿ってチャンバ２４の沈降領域２４ａの内部に向かって下方に方向づけられる。塵埃が前方壁７８及び後方壁８０それぞれと衝突することによって、塵埃の運動エネルギの一部分が散逸されるので、これにより塵埃の慣性力が低減される。結果として、塵埃復帰通路に沿って沈降領域２４ａの内部に向かって降下する塵埃は、チャンバ２４を通じて流れる空気によって取り込まれ、チャンバ出口３６を通じて分離システム１０に吸引される。
【００５１】
ハウジング２２の前方開口部によって、ブラシバー１８は、清浄すべき表面上の物体に対して又は壁に対して押し上げられるので、ブラシバー１８は、当該物体又は壁に隣接する塵埃を捕集することができる。このことは、全体的な捕集性能を向上させる。
【００５２】
後方ローラ２０は、清浄すべき表面上の塵埃を転がり落とすように配置されている。従って、塵埃は、清浄すべき表面に沿って収集されず、清浄すべき表面を引っかくことになる場合がある。
【００５３】
掃除機ヘッド８は、圧縮された塵埃と同様に小さい塵埃及び大きい塵埃の両方を捕集するのに効果的である。掃除機ヘッド８は、大きい塵埃が目立つ床において、又は塵埃が圧縮されている硬質の床において特に効果的である。
【符号の説明】
【００５４】
２    携行式掃除機
４    本体
６    ワンド
８    掃除機ヘッド
１０    分離システム
１２    電源
１４    ハンドル
１６    清浄空気出口
１８    ブラシバー
２０    後方ローラ
２２    ハウジング
２４    チャンバ
２４ａ  沈降領域
２４ｂ  撹拌領域
２６    回動機構
２８    上側回動式継手
３０    下側回動式継手
３２    ホース
３４    接続部分
３６    汚染空気出口（チャンバ出口）
３８    （ハウジング２２の）側壁
４０    （ハウジング２２の）側壁
４２    コア
４４    伝動装置
４６    剛毛ストリップ
４８    配置用ストリップ
５０    溝
５２    ストリップ
５４    間隙
５６    コア
５８    後方ソールプレート
６０    ホイール（ローラ）
６２    （側壁３８の）下側縁部
６４    （側壁４０の）下側縁部
６６    （後方ソールプレート５８の）先縁部
６８    （チャンバ２４の）汚染空気入口
７０    後方シールストリップ
７１    側方シールストリップ
７２    側方シールストリップ
７４    （ハウジング２２の）上側前方縁部
７５    （側壁３８の）前方縁部
７６    仕切り
７７    （側壁４０の）前方縁部
７８    （仕切り７６の）前方壁
８０    （仕切り７６の）後方壁
８２    （前方壁７８の）下側縁部
８４    （前方壁７８の）上側縁部
８６    第１の塵埃開口部
８８    結合部分
９０    （結合部分８８の）結合部分（前方縁部）
９２    第２の塵埃開口部
９４    （結合部分８８の）前方傾斜面
【図１】
0005914589.tif 000002
【図２】
0005914589.tif 000003
【図３】
0005914589.tif 000004
【図４】
0005914589.tif 000005
【図５】
0005914589.tif 000006
【図６】
0005914589.tif 000007
【図７】
0005914589.tif 000008